(57)【要約】【課題】ユーザが円滑に通話を行うことができる携帯端末装置を提供する。【解決手段】携帯電話機１は、電話の着信を受け付ける通信部１９と、表示面３を有する表示部１３と、表示部１３を制御する表示制御部２１と、表示面３へのタッチ操作を受け付けるタッチ検出部１４と、装置本体に設けられた通話スピーカ５と装置本体に無線接続された無線スピーカ２０との間で、受話音声の出力先を設定する通話制御部２２と、を備える。表示制御部２１は、通信部１９が着信を受け付けると、応答オブジェクトＢ１を含む第２着信画面を表示面３に表示する。通話制御部２２は、タッチ位置の移動を伴う第１タッチ操作が応答オブジェクトＢ１に対して行われた場合、出力先を通話スピーカ５に設定して通話を開始し、タッチ位置の移動を伴う、第１タッチ操作と異なる第２タッチ操作が応答オブジェクトＢ１に対して行われた場合、出力先を無線スピーカ２０設定して通話を開始する。【選択図】図２
2014045231.tif 000002
【特許請求の範囲】
【請求項１】
電話の着信を受け付ける着信受付部と、
表示面を有する表示部と、
前記表示部を制御する表示制御部と、
前記表示面へのタッチ操作を受け付ける操作受付部と、
装置本体に設けられた第１音出力部と前記装置本体に無線接続された第２音出力部と間で、通話の際の受話音声の出力先を設定する通話制御部と、を備え、
前記表示制御部は、
前記着信受付部が着信を受け付けると、当該着信に応答するための操作の対象となるオブジェクトを含む着信画面を前記表示面に表示し、
前記通話制御部は、
タッチ位置の移動を伴う第１タッチ操作が前記オブジェクトに対して行われた場合に、前記出力先を前記第１音出力部に設定して通話を開始し、
タッチ位置の移動を伴う、前記第１タッチ操作と異なる第２タッチ操作が前記オブジェクトに対して行われた場合に、前記出力先を前記第２音出力部に設定して通話を開始する、
ことを特徴とする携帯端末装置。
【請求項２】
請求項１に記載の携帯端末装置において、
前記通話制御部は、
前記通話画面において、前記オブジェクトを挟んで一方側に前記第１音出力部に対応する第１領域を他方側に前記第２音出力部に対応する第２領域をそれぞれ設定し、
前記オブジェクトに対してフリック操作がなされると、当該フリック操作の方向と速さに基づいて、前記オブジェクトが移動されるべき移動先の位置を決定し、
前記第１タッチ操作として、前記移動先の位置が前記第１領域内となるフリック操作が前記オブジェクトに対して行われると、前記出力先を前記第１音出力部に設定して通話を開始し、
前記第２タッチ操作として、前記移動先の位置が前記第２領域内となるフリック操作が前記オブジェクトに対して行われると、前記出力先を前記第２音出力部に設定して通話を開始する、
ことを特徴とする携帯端末装置。
【請求項３】
請求項１に記載の携帯端末装置において、
前記通話制御部は、
前記通話画面において、前記オブジェクトを挟んで一方側に前記第１音出力部に対応する第１領域を他方側に前記第２音出力部に対応する第２領域をそれぞれ設定し、
前記第１タッチ操作として、リリース位置が前記第１領域内となるスライド操作が前記オブジェクトに対して行われると、前記出力先を前記第１音出力部に設定して通話を開始し、
前記第２タッチ操作として、リリース位置が前記第２領域内となるスライド操作が前記オブジェクトに対して行われると、前記出力先を前記第２音出力部に設定して通話を開始する、
ことを特徴とする携帯端末装置。
【請求項４】
請求項２または３に記載の携帯端末装置において、
前記第１領域および前記第２領域により、前記オブジェクトの全周が囲まれる、
ことを特徴とする携帯端末装置。
【請求項５】
請求項２ないし４の何れか一項に記載の携帯端末装置において、
前記通話制御部は、前記オブジェクトの周囲に、前記オブジェクトの中心と前記第１領域および前記第２領域と間に所定の距離を確保するための第３領域を設定する、
ことを特徴とする携帯端末装置。
【請求項６】
請求項２ないし５の何れか一項に記載の携帯端末装置において、
前記表示制御部は、
前記着信画面において、前記第１領域および前記第２領域のうち少なくとも一方の領域の内側に、操作の対象となる、前記オブジェクトとは別のオブジェクトを表示し、
前記通話制御部は、
前記別のオブジェクトが表示された領域を除いて前記少なくとも一方の領域を設定する、
ことを特徴とする携帯端末装置。
【請求項７】
請求項３に記載の携帯端末装置において、
前記表示制御部は、
前記出力先を前記第１音出力部に設定するための前記スライド操作の方向を案内する第１画像を前記第１領域に表示するとともに、前記出力先を前記第２音出力部に設定するための前記スライド操作の方向を案内する第２画像を前記第２領域に表示し、
前記スライド操作により前記タッチ位置が前記第１領域へ移動すると、前記第２画像の表示態様を変化させ、
前記スライド操作により前記タッチ位置が前記第２領域へ移動すると、前記第１画像の表示態様を変化させる、
ことを特徴とする携帯端末装置。
【請求項８】
請求項３に記載の携帯端末装置において、
前記表示制御部は、
前記出力先を前記第１音出力部に設定するための前記スライド操作の方向を案内する第１画像を前記第１領域に表示するとともに、前記出力先を前記第２音出力部に設定するための前記スライド操作の方向を案内する第２画像を前記第２領域に表示し、
前記スライド操作により前記タッチ位置が前記第１領域へ移動すると、前記第１画像の表示態様を変化させ、
前記スライド操作により前記タッチ位置が前記第２領域へ移動すると、前記第２画像の表示態様を変化させる、
ことを特徴とする携帯端末装置。
【請求項９】
電話の着信を受け付ける着信受付部と、表示面を有する表示部と、前記表示面へのタッチ操作を受け付ける操作受付部とを備え、通話の際に、受話音声の出力先を、装置本体に設けられた第１音出力部と前記装置本体に無線接続された第２音出力部との間で設定する携帯端末装置のコンピュータに、
前記着信受付部が着信を受け付けると、当該着信に応答するための操作の対象となるオブジェクトを含む着信画面を前記表示面に表示する機能と、
タッチ位置の移動を伴う第１タッチ操作が前記オブジェクトに対して行われた場合に、前記出力先を前記第１音出力部に設定して通話を開始し、タッチ位置の移動を伴う、前記第１タッチ操作と異なる第２タッチ操作が前記オブジェクトに対して行われた場合に、前記出力先を前記第２音出力部に設定して通話を開始する機能と、
を付与するプログラム。
【請求項１０】
電話の着信を受け付ける着信受付部と、表示面を有する表示部と、前記表示面へのタッチ操作を受け付ける操作受付部とを備え、通話の際に、受話音声の出力先を、装置本体に設けられた第１音出力部と前記装置本体に無線接続された第２音出力部との間で設定する
携帯端末装置の制御方法であって、
前記着信受付部が着信を受け付けると、当該着信に応答するための操作の対象となるオブジェクトを含む着信画面を前記表示面に表示するステップと、
タッチ位置の移動を伴う第１タッチ操作が前記オブジェクトに対して行われた場合に、前記出力先を前記第１音出力部に設定して通話を開始し、タッチ位置の移動を伴う、前記第１タッチ操作と異なる第２タッチ操作が前記オブジェクトに対して行われた場合に、前記出力先を前記第２音出力部に設定して通話を開始するステップと、
を含む制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび制御方法に関する。
【背景技術】
【０００２】
従来、ワイヤレスイヤーフォン、ワイヤレスヘッドフォン等の、いわゆる無線スピーカとの接続が可能な携帯電話機が知られている（たとえば、特許文献１参照）。かかる携帯電話機では、無線スピーカとの間で接続設定（ペアリング）がなされている場合、電話の着信を受けると、受話音声の出力先が自動的に無線スピーカ側に切り替えられる構成が採られ得る。通話の際、通話相手からの受話音声が無線スピーカから出力される。
【先行技術文献】
【特許文献】
【０００３】
【特許文献１】特開２０１１−１１４６７７号公報
【発明の概要】
【発明が解決しようとする課題】
【０００４】
しかしながら、上記の構成では、無線スピーカとの接続設定がなされた状態において、電話の着信を受けたときに携帯電話機を持つユーザの手元に無線スピーカがない場合、ユーザは、一度着信に応答し、通話状態となった後に、携帯電話機に内蔵された通話用のスピーカへ出力先を切り替える操作を行う必要がある。これにより、通話状態になった後、速やかに相手との通話が行えない場合が生じ得る。
【０００５】
そこで、本発明は、ユーザが円滑に通話を行うことができる携帯端末装置、プログラムおよび携帯端末装置の制御方法を提供することを目的とする。
【課題を解決するための手段】
【０００６】
本発明の第１の態様に係る携帯端末装置は、電話の着信を受け付ける着信受付部と、表示面を有する表示部と、前記表示部を制御する表示制御部と、前記表示面へのタッチ操作を受け付ける操作受付部と、装置本体に設けられた第１音出力部と前記装置本体に無線接続された第２音出力部との間で、通話の際の受話音声の出力先を設定する通話制御部と、を備える。ここで、前記表示制御部は、前記着信受付部が着信を受け付けると、当該着信に応答するための操作の対象となるオブジェクトを含む着信画面を前記表示面に表示する。さらに、前記通話制御部は、タッチ位置の移動を伴う第１タッチ操作が前記オブジェクトに対して行われた場合に、前記出力先を前記第１音出力部に設定して通話を開始し、タッチ位置の移動を伴う、前記第１タッチ操作と異なる第２タッチ操作が前記オブジェクトに対して行われた場合に、前記出力先を前記第２音出力部に設定して通話を開始する。
【０００７】
本態様の携帯端末装置において、前記通話制御部は、前記通話画面において、前記オブジェクトを挟んで一方側に前記第１音出力部に対応する第１領域を他方側に前記第２音出力部に対応する第２領域をそれぞれ設定し、前記オブジェクトに対してフリック操作がなされると、当該フリック操作の方向と速さに基づいて、前記オブジェクトが移動されるべき移動先の位置を決定し、前記第１タッチ操作として、前記移動先の位置が前記第１領域内となるフリック操作が前記オブジェクトに対して行われると、前記出力先を前記第１音出力部に設定して通話を開始し、前記第２タッチ操作として、前記移動先の位置が前記第２領域内となるフリック操作が前記オブジェクトに対して行われると、前記出力先を前記
第２音出力部に設定して通話を開始するような構成とされ得る。
【０００８】
本態様に係る携帯端末装置において、前記通話制御部は、前記通話画面において、前記オブジェクトを挟んで一方側に前記第１音出力部に対応する第１領域を他方側に前記第２音出力部に対応する第２領域をそれぞれ設定し、前記第１タッチ操作として、リリース位置が前記第１領域内となるスライド操作が前記オブジェクトに対して行われると、前記出力先を前記第１音出力部に設定して通話を開始し、前記第２タッチ操作として、リリース位置が前記第２領域内となるスライド操作が前記オブジェクトに対して行われると、前記出力先を前記第２音出力部に設定して通話を開始するような構成とされ得る。
【０００９】
上記のように前記第１領域および前記第２領域が設定される構成とした場合、携帯端末装置は、前記第１領域および前記第２領域により、前記オブジェクトの全周が囲まれるような構成とされ得る。
【００１０】
前記第１領域および前記第２領域が設定される構成とした場合、さらに、前記通話制御部は、前記オブジェクトの周囲に、前記オブジェクトの中心と前記第１領域および前記第２領域と間に所定の距離を確保するための第３領域を設定するような構成とされ得る。
【００１１】
前記第１領域および前記第２領域が設定される構成とした場合、さらに、前記表示制御部は、前記着信画面において、前記第１領域および前記第２領域のうち少なくとも一方の領域の内側に、操作の対象となる、前記オブジェクトとは別のオブジェクトを表示するような構成とされ得る。この場合、前記通話制御部は、前記別のオブジェクトが表示された領域を除いて前記少なくとも一方の領域を設定する。
【００１２】
前記第１領域および前記第２領域が設定されるとともに、前記オブジェクトに対してスライド操作がなされる構成とした場合、さらに、前記表示制御部は、前記出力先を前記第１音出力部に設定するための前記スライド操作の方向を案内する第１画像を前記第１領域に表示するとともに、前記出力先を前記第２音出力部に設定するための前記スライド操作の方向を案内する第２画像を前記第２領域に表示し、前記スライド操作により前記タッチ位置が前記第１領域へ移動すると、前記第２画像の表示態様を変化させ、前記スライド操作により前記タッチ位置が前記第２領域へ移動すると、前記第１画像の表示態様を変化させるような構成とされ得る。
【００１３】
前記第１領域および前記第２領域が設定されるとともに、前記オブジェクトに対してスライド操作がなされる構成とした場合、前記表示制御部は、前記出力先を前記第１音出力部に設定するための前記スライド操作の方向を案内する第１画像を前記第１領域に表示するとともに、前記出力先を前記第２音出力部に設定するための前記スライド操作の方向を案内する第２画像を前記第２領域に表示し、前記スライド操作により前記タッチ位置が前記第１領域へ移動すると、前記第１画像の表示態様を変化させ、前記スライド操作により前記タッチ位置が前記第２領域へ移動すると、前記第２画像の表示態様を変化させるような構成とされ得る。
【００１４】
本発明の第２の態様に係るプログラムは、電話の着信を受け付ける着信受付部と、表示面を有する表示部と、前記表示面へのタッチ操作を受け付ける操作受付部とを備え、通話の際に、受話音声の出力先を、装置本体に設けられた第１音出力部と前記装置本体に無線接続された第２音出力部との間で設定する携帯端末装置のコンピュータに、前記着信受付部が着信を受け付けると、当該着信に応答するための操作の対象となるオブジェクトを含む着信画面を前記表示面に表示する機能と、タッチ位置の移動を伴う第１タッチ操作が前記オブジェクトに対して行われた場合に、前記出力先を前記第１音出力部に設定して通話を開始し、タッチ位置の移動を伴う、前記第１タッチ操作と異なる第２タッチ操作が前記
オブジェクトに対して行われた場合に、前記出力先を前記第２音出力部に設定して通話を開始する機能と、を付与する。
【００１５】
本発明の第３の態様は、電話の着信を受け付ける着信受付部と、表示面を有する表示部と、前記表示面へのタッチ操作を受け付ける操作受付部とを備え、通話の際に、受話音声の出力先を、装置本体に設けられた第１音出力部と前記装置本体に無線接続された第２音出力部との間で設定する携帯端末装置の制御方法に関する。本態様に係る制御方法は、前記着信受付部が着信を受け付けると、当該着信に応答するための操作の対象となるオブジェクトを含む着信画面を前記表示面に表示するステップと、タッチ位置の移動を伴う第１タッチ操作が前記オブジェクトに対して行われた場合に、前記出力先を前記第１音出力部に設定して通話を開始し、タッチ位置の移動を伴う、前記第１タッチ操作と異なる第２タッチ操作が前記オブジェクトに対して行われた場合に、前記出力先を前記第２音出力部に設定して通話を開始するステップと、を含む。
【発明の効果】
【００１６】
本発明によれば、ユーザが円滑に通話を行うことができる携帯端末装置、プログラムおよび携帯端末装置の制御方法を提供することができる。
【００１７】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１８】
【図１】実施形態に係る、携帯電話機の構成を示す図である。
【図２】実施形態に係る、携帯電話機の全体構成を示すブロック図である。
【図３】実施形態に係る、表示面に表示される第１着信画面および第２着信画面について説明するための図である。
【図４】実施形態に係る、通話制御処理の処理手順を示すフローチャートである。
【図５】実施形態に係る、通話制御処理に含まれる第１通話制御処理の処理手順を示すフローチャートである。
【図６】実施形態に係る、通話制御処理に含まれる第２通話制御処理の処理手順を示すフローチャートである。
【図７】実施の形態に係る、表示面に表示される通話画面を示す図である。
【図８】実施の形態に係る、応答オブジェクトに対して適正なフリック操作またはスライド操作がなされたときの第２着信画面を示す図である。
【図９】実施の形態に係る、応答オブジェクトに対して不適正なフリック操作またはスライド操作がなされたときの第２着信画面を示す図である。
【図１０】変更例１に係る、第２通話制御処理の処理手順を示すフローチャートである。
【図１１】変更例２に係る、第２通話制御処理の処理手順を示すフローチャートである。
【発明を実施するための形態】
【００１９】
以下、本発明の実施形態について、図面を参照して説明する。
【００２０】
図１は、携帯電話機１の構成を示す図である。図１（ａ）および（ｂ）は、それぞれ、携帯電話機１の正面図および背面図である。
【００２１】
以下、説明の便宜上、図１に示すように、キャビネット２の長手方向を上下方向と定義し、キャビネット２の短手方向を左右方向と定義する。
【００２２】
携帯電話機１は、キャビネット２と、表示面３と、マイクロフォン４と、通話スピーカ
５と、キー操作部６と、外部スピーカ７とを備えている。
【００２３】
キャビネット２は、正面から見て、ほぼ長方形状を有する。キャビネット２の正面に、後述する表示部１３の表示面３が配されている。表示面３には、各種の画像（画面）が表示される。
【００２４】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２５】
キャビネット２の正面には、キー操作部６が設けられている。キー操作部６は、複数の操作キーから構成されている。各操作キーには、実行中のプログラムを操作するための各種の機能が割り当てられる。
【００２６】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００２７】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９を備えている。
【００２８】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。プログラムは、メーカによって携帯電話機１の製造時に記憶部１２に記憶される他、ユーザによって通信網や記憶媒体を介して記憶部１２に記憶される。
【００２９】
記憶部１２には、プログラムの実行の際、一時的に利用または生成されるデータを記憶するワーキング領域も含まれる。
【００３０】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３１】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３２】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３３】
タッチ検出部１４は、前記表示面３へのユーザによるタッチ操作を受け付ける。即ち、タッチ検出部１４は、指が触れた表示面３上の位置をタッチ位置として検出し、検出したタッチ位置に応じた位置信号を制御部１１へ出力する。
【００３４】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。
【００３５】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００３６】
音声入力部１５は、マイクロフォン４等から構成される。音声入力部１５は、マイクロフォン４からの電気信号を音声処理部１７へ出力する。
【００３７】
音声出力部１６は、通話スピーカ５および外部スピーカ７を含む。音声出力部１６には、音声処理部１７からの電気信号が入力され、通話スピーカ５または外部スピーカ７から音（音声、報知音等）が出力される。
【００３８】
さらに、音声出力部１６は、無線出力部１６ａを含む。無線出力部１６ａは、近距離無線用の通信回路を有し、音声処理部１７からの電気信号を近距離無線通信のための無線信号に変換し、変換した無線信号を無線スピーカ２０、たとえば、ワイヤレスイヤーフォンに送信する。これにより、無線スピーカ２０から音が出力される。無線スピーカ２０は、予め、携帯電話機１との間で、双方向に通信を可能とするための接続設定（ペアリング）が行われる。
【００３９】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４０】
キー入力部１８は、キー操作部６の各操作キーが押下されたときに、押下された操作キーに応じた信号を制御部１１へ出力する。
【００４１】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４２】
制御部１１は、表示制御部２１および通話制御部２２を含む。
【００４３】
表示制御部２１は、表示部１３を制御する。表示制御部２１は、通信部１９へ電話の着信があると、着信画面を表示面３に表示する。表示制御部２１は、着信時に無線スピーカ２０との接続設定がなされていない場合、第１着信画面を表示し、無線スピーカ２０との
接続設定がなされている場合、第２着信画面を表示する。
【００４４】
図３（ａ）および（ｂ）は、それぞれ、表示面３に表示される第１着信画面および第２着信画面を示す図である。図３（ａ）に示すように、第１着信画面は、応答オブジェクトＢ１、第１停止オブジェクトＢ２、第２停止オブジェクトＢ３を含む。応答オブジェクトＢ１は、着信に応答するために操作されるオブジェクトであり、第１着信画面の中央付近に配される。第１停止オブジェクトＢ２および第２停止オブジェクトＢ３は、着信に応答せずに着信を切断するために操作されるオブジェクトであり、第１着信画面の左右であって、応答オブジェクトＢ１より低い位置に配される。さらに、第１着信画面には、相手の電話番号が表示されるとともに、そのピクト領域に着信中であることを示すアイコンＩＣ３が表示される。
【００４５】
図３（ｂ）に示すように、第２着信画面は、応答オブジェクトＢ１、第１停止オブジェクトＢ２、第２停止オブジェクトＢ３に加え、第１ガイドアイコンＩＣ１および第２ガイドアイコンＩＣ２を含む。第１ガイドアイコンＩＣ１は、第２着信画面の左側であって、応答オブジェクトＢ１とほぼ同じ高さに配される。第１ガイドアイコンＩＣ１は、受話音声の出力先を通話スピーカ５に設定するために応答オブジェクトＢ１を移動させるときのタッチ操作（フリック操作、スライド操作）の方向を案内する。第２ガイドアイコンＩＣ２は、第２着信画面の右側であって、応答オブジェクトＢ１とほぼ同じ高さに配される。第２ガイドアイコンＩＣ２は、受話音声の出力先を無線スピーカ２０に設定するために応答オブジェクトＢ１を移動させるときのタッチ操作の方向を案内する。さらに、第２着信画面にも、第１着信画面と同様、相手の電話番号が表示されるとともに、そのピクト領域に着信中であることを示すアイコンＩＣ３が表示される。
【００４６】
通話制御部２２は、第２着信画面において、通話スピーカ５に対応する第１切替領域Ｒ１と、無線スピーカ２０に対応する第２切替領域Ｒ２とを設定する。
【００４７】
図３（ｃ）は、第１切替領域Ｒ１および第２切替領域Ｒ２が第２着信画面に描かれた図である。実際の第２着信画面には、第１切替領域Ｒ１および第２切替領域Ｒ２が描かれない。
【００４８】
図３（ｃ）に示すように、応答オブジェクトＢ１を挟んで、第２着信画面の左半面に第１切替領域Ｒ１（実線の斜線で示す）が設定され、第２着信画面の右半面に第２切替領域Ｒ２（破線の斜線で示す）が設定される。第１切替領域Ｒ１および第２切替領域Ｒ２により、応答オブジェクトＢ１の全周が囲まれている。
【００４９】
通話制御部２２は、第２着信画面において、応答オブジェクトＢ１の周囲に無効領域Ｒ３を設定する。無効領域Ｒ３は、表示面３の上下方向に長い楕円形状を有している。フリック操作やスライド操作によって応答オブジェクトＢ１が無効領域Ｒ３を超える距離移動しないと、応答オブジェクトＢ１が第１切替領域Ｒ１または第２切替領域Ｒ２に到達しない。無効領域Ｒ３の形状は、楕円形に限られず、真円形など他の形状に形成されてもよい。
【００５０】
第１停止オブジェクトＢ２は、第１切替領域Ｒ１の内側に配されている。第１切替領域Ｒ１は、第１停止オブジェクトＢ２が表示されている領域を除くように設定されている。第２停止オブジェクトＢ３は、第２切替領域Ｒ２の内側に配されている。第２切替領域Ｒ２は、第２停止オブジェクトＢ３が表示されている領域を除くように設定されている。
【００５１】
第１ガイドアイコンＩＣ１は、第１切替領域Ｒ１内に位置し、第２ガイドアイコンＩＣ２は、第２切替領域Ｒ２内に位置する。
【００５２】
通話制御部２２は、応答オブジェクトＢ１に対してフリック操作がなされると、当該リック操作の方向と速さに基づいて、応答オブジェクトＢ１が移動されるべき移動先の位置を決定する。記憶部１２には、フリック操作の速さ（速さに相当する値、たとえば、第２時間内にタッチ位置が移動する距離）と応答オブジェクトＢ１の移動距離との関係を示す対応テーブルが記憶されている。通話制御部２２は、対応テーブルを参照してフリック操作の速さに対応する移動距離を求め、求めた移動距離とフリック操作の方向とから移動先の位置を決定する。なお、対応テーブルに替えて、フリック操作の速さから応答オブジェクトＢ１の移動距離を算出するための演算式が記憶部１２に記憶されてもよい。
【００５３】
通話制御部２２は、移動先の位置が第１切替領域Ｒ１内となるフリック操作が応答オブジェクトＢ１に対して行われると、受話音声の出力先を通話スピーカ５に設定して通話を開始する。一方、通話制御部２２は、移動先の位置が第２切替領域Ｒ２内となるフリック操作が応答オブジェクトＢ１に対して行われると、受話音声の出力先を無線スピーカ２０に設定して通話を開始する。
【００５４】
さらに、通話制御部２２は、リリース位置が第１切替領域Ｒ１内となるスライド操作が応答オブジェクトＢ１に対して行われると、受話音声の出力先を通話スピーカ５に設定して通話を開始する。一方、通話制御部２２は、リリース位置が第２切替領域Ｒ２内となるスライド操作が応答オブジェクトＢ１に対して行われると、受話音声の出力先を無線スピーカ２０に設定して通話を開始する。
【００５５】
さて、通信部１９に電話の着信があると、制御部１１（表示制御部２１、通話制御部２２）により、通話制御処理が実行される。
【００５６】
図４は、通話制御処理の処理手順を示すフローチャートである。図５は、通話制御処理に含まれる第１通話制御処理の処理手順を示すフローチャートである。図６は、通話制御処理に含まれる第２通話制御処理の処理手順を示すフローチャートである。
【００５７】
通信先の電話機から通信部１９が電話の着信を受けると、制御部１１は、無線スピーカ２０が接続されているか否かを判定する（Ｓ１０１）。制御部１１は、無線スピーカ２０が接続されていなければ（Ｓ１０１：ＮＯ）、第１通話制御処理を実行する（Ｓ１０２）。以下、図５を参照して、第１通話制御処理について説明する。
【００５８】
表示制御部２１は、外部スピーカ７から着信音を出力するとともに（Ｓ２０１）、図３（ａ）に示す第１着信画面を表示面３に表示する（Ｓ２０２）。通話制御部２２は、応答オブジェクトＢ１に対してフリック操作がなされたか否かを判定する（Ｓ２０３）。さらに、通話制御部２２は、第１停止オブジェクトＢ２に対してフリック操作がなされたか否か、および、第２停止オブジェクトＢ３に対してフリック操作がなされたか否かを判定する（Ｓ２０４、Ｓ２０５）。
【００５９】
ユーザは、着信に応答する場合、応答オブジェクトＢ１に対してフリック操作を行う。通話制御部２２は、応答オブジェクトＢ１に対してフリック操作がなされたと判定すると（Ｓ２０３：ＹＥＳ）、受話音声の出力先を通話スピーカ５に設定する（Ｓ２０６）。
【００６０】
表示制御部２１は、通話画面を表示面３に表示する（Ｓ２０７）。通話制御部２２は、着信音を停止して、通話処理を開始する（Ｓ２０８）。通話制御部２２は、通信先の電話機との通信網を確立し、通話先の電話機から通信部１９を介して音声データを受け取ると、通話スピーカ５から受話音声を出力する。さらに、通話制御部２２は、マイクロフォン４にユーザの音声が入力されると、音声データを、通信部１９を介して通信先の電話機へ
送信する。
【００６１】
図７は、表示面３に表示される通話画面を示す図である。図７に示すように、通話画面には、通話に係る情報、たとえば、相手の電話番号、通話時間が表示される。さらに、通話画面には、終話オブジェクトＢ４が配される。
【００６２】
終話オブジェクトＢ４に対するタッチ操作、たとえば、タップ操作やフリック操作がなされると、通話制御部２２は、通話処理を終了する。通話制御処理が終了され、電話の着信を受ける前に表示されていた画面が表示面３に表示される。
【００６３】
ユーザは、電話に出られない場合、第１着信画面において、第１停止オブジェクトＢ２または第２停止オブジェクトＢ３に対してフリック操作を行う。
【００６４】
通話制御部２２は、第１停止オブジェクトＢ２に対してフリック操作がなされたと判定すると（Ｓ２０４：ＹＥＳ）、着信を切断し、外部スピーカ７より出力されている着信音を停止する（Ｓ２０９）。一方、通話制御部２２は、第２停止オブジェクトＢ３に対してフリック操作がなされたと判定すると（Ｓ２０５：ＹＥＳ）、着信を切断し、着信音を停止する（Ｓ２１０）。さらに、通話制御部２２は、表示面３に電子メールの作成画面を表示する（Ｓ２１１）。その後、ユーザが入力した情報を含む電子メールがユーザの送信操作により通信部１９を介して通信先の電話機へ送信される。
【００６５】
なお、第１着信画面が表示されている間に、無線スピーカ２０の接続設定がなされた場合、制御部１１は、第１通話制御処理を終了して第２通話制御処理を開始する。
【００６６】
図３に戻り、制御部１１は、ステップＳ１０２において、無線スピーカ２０に接続されていると判定すると（Ｓ１０１：ＹＥＳ）、第２通話制御処理を実行する（Ｓ１０２）。以下、図５を参照して、第２通話制御処理について説明する。
【００６７】
表示制御部２１は、外部スピーカ７および無線スピーカ２０から着信音を出力するとともに（Ｓ３０１）、図３（ｂ）に示す第２着信画面を表示面３に表示する（Ｓ３０２）。通話制御部２２は、応答オブジェクトＢ１に対してフリック操作がなされたか否かを判定する（Ｓ３０３）。また、通話制御部２２は、応答オブジェクトＢ１に対してスライド操作がなされたか否かを判定する（Ｓ３０４）。さらに、通話制御部２２は、第１停止オブジェクトＢ２に対してフリック操作がなされたか否か、および、第２停止オブジェクトＢ３に対してフリック操作がなされたか否かを判定する（Ｓ３０５、Ｓ３０６）。
【００６８】
ユーザは、着信に応答する場合、応答オブジェクトＢ１に対してフリック操作を行う。このとき、ユーザは、受話音声の出力先として通話スピーカ５を選択する場合、第１切替領域Ｒ１、即ち、第１ガイドアイコンＩＣ１の方向に、応答オブジェクトＢ１をフリックする。一方、ユーザは、受話音声の出力先として無線スピーカ２０を選択する場合、第２切替領域Ｒ２、即ち、第２ガイドアイコンＩＣ２の方向に、応答オブジェクトＢ１をフリックする。
【００６９】
通話制御部２２は、応答オブジェクトＢ１に対してフリック操作がなされたと判定すると（Ｓ３０３：ＹＥＳ）、上述の通り、対応テーブルを参照し、フリックの速さから応答オブジェクトＢ１（オブジェクトの中心）の移動距離を求める。さらに、通話制御部２２は、求めた移動距離とフリック操作の方向とに基づいて、応答オブジェクトＢ１の移動先の位置を決定する（Ｓ３０７）。なお、フリック操作の方向は、フリック操作における最初のタッチ位置とリリース位置とにより求められる。表示制御部２１は、第２着信画面上において、応答オブジェクトＢ１を移動先の位置へ移動させる（Ｓ３０８）。
【００７０】
通話制御部２２は、応答オブジェクトＢ１の移動先の位置が第１切替領域Ｒ１内であるか否か、第２切替領域Ｒ２内であるか否かを判定する（Ｓ３０９、Ｓ３１０）
ユーザにより、応答オブジェクトＢ１が第１ガイドアイコンＩＣ１の方向に十分な速さでフリック操作が行われた場合、図８（ａ）に示すように、応答オブジェクトＢ１が第１切替領域Ｒ１内に移動する。この場合、通話制御部２２は、応答オブジェクトＢ１の移動先の位置が第１切替領域Ｒ１内であると判定し（Ｓ３０９：ＹＥＳ）、受話音声の出力先を通話スピーカ５に設定する（Ｓ３１１）。
【００７１】
一方、ユーザにより、応答オブジェクトＢ１が第２ガイドアイコンＩＣ２の方向に十分な速さでフリック操作が行われた場合、図８（ｂ）に示すように、応答オブジェクトＢ１が第２切替領域Ｒ２内に移動する。この場合、通話制御部２２は、応答オブジェクトＢ１の移動先の位置が第２切替領域Ｒ２内であると判定し（Ｓ３０９：ＮＯ、Ｓ３１０：ＹＥＳ）、受話音声の出力先を無線スピーカ２０に設定する（Ｓ３１２）。
【００７２】
表示制御部２１は、通話画面を表示面３に表示する（Ｓ３１３）。通話制御部２２は、着信音を停止して、通話処理を開始する（Ｓ３１４）。通話の際、出力先が通話スピーカ５に設定されていれば、通話スピーカ５から受話音声が出力され、出力先が無線スピーカ２０に設定されていれば、無線スピーカ２０から受話音声が出力される。
【００７３】
ユーザは、応答オブジェクトＢ１に対してスライド操作を行うことによっても、着信に応答することができる。このとき、ユーザは、受話音声の出力先として通話スピーカ５を選択する場合には、第１ガイドアイコンＩＣ１の方向に応答オブジェクトＢ１に対してスライド操作を行う。一方、ユーザは、受話音声の出力先として無線スピーカ２０を選択する場合には、第２ガイドアイコンＩＣ２の方向に応答オブジェクトＢ１をスライドさせる。
【００７４】
表示制御部２１は、応答オブジェクトＢ１に対してスライド操作がなされたと判定すると（Ｓ３０４：ＹＥＳ）、第２着信画面上において、タッチ位置の移動に追従して応答オブジェクトＢ１を移動させる（Ｓ３１５）。通話制御部２２は、応答オブジェクトＢ１、即ち、表示面３から指がリリースされたか否かを判定する（Ｓ３１６）。通話制御部２２は、指がリリースされたと判定すると（Ｓ３１６：ＹＥＳ）、リリース位置を取得する（Ｓ３１７）。
【００７５】
通話制御部２２は、リリース位置が第１切替領域Ｒ１内であるか否か、第２切替領域Ｒ２内であるか否かを判定する（Ｓ３０９、Ｓ３１０）
図８（ａ）に示すように、応答オブジェクトＢ１が第１切替領域Ｒ１内に移動された後に指がリリースされた場合、通話制御部２２は、リリース位置が第１切替領域Ｒ１内であると判定し（Ｓ３０９：ＹＥＳ）、受話音声の出力先を通話スピーカ５に設定する（Ｓ３１１）。
【００７６】
一方、図８（ｂ）に示すように、応答オブジェクトＢ１が第２切替領域Ｒ２内に移動された後に指がリリースされた場合、通話制御部２２は、リリース位置が第２切替領域Ｒ２内であると判定し（Ｓ３０９：ＮＯ、Ｓ３１０：ＹＥＳ）、受話音声の出力先を無線スピーカ２０に設定する（Ｓ３１２）。
【００７７】
さて、ユーザが応答オブジェクトＢ１を十分な速さでフリック操作できなかった場合は、移動先の位置が無効領域Ｒ３内となる場合がある。また、フリック操作の方向と速さによっては、移動先の位置が、第１停止オブジェクトＢ２の領域または第２停止オブジェクトＢ３の領域内となる場合がある。また、応答オブジェクトＢ１を十分にスライド操作で
きないまま指が表示面３よりリリースされた場合、リリース位置が無効領域Ｒ３内となる場合がある。また、誤って第１停止オブジェクトＢ２の領域または第２停止オブジェクトＢ３の領域内に応答オブジェクトＢ１が移動され、指がリリースされる場合もある。この場合、通話制御部２２は、移動先の位置（リリース位置）が第１切替領域Ｒ１内および第２切替領域Ｒ２内のどちらにもないと判定し（Ｓ３０９：ＮＯ、Ｓ３１０：ＮＯ）、出力先の設定を行わず、通話処理にも移行しない。表示制御部２１は、応答オブジェクトＢ１を最初の位置に戻す（Ｓ３１８）。さらに、表示制御部２１は、フリック操作がなされたときの移動先の位置が無効領域Ｒ３内であれば（Ｓ３１９：ＹＥＳ）、図９（ａ）に示すように、応答オブジェクトＢ１を最初の位置に戻した後に、「応答オブジェクトを強くフリックしてください」など、適正なフリック操作を促す文章からなるメッセージウィンドウＷ１を第２着信画面に表示する（Ｓ３２０）。表示制御部２１は、スライド操作がなされたときのリリース位置が無効領域Ｒ３内であれば（Ｓ３１９：ＹＥＳ）、図９（ｂ）に示すように、応答オブジェクトＢ１を最初の位置に戻した後に、「応答オブジェクトを長くスライドさせてください」など、適正なスライド操作を促す文章からなるメッセージウィンドウＷ１を第２着信画面に表示する（Ｓ３２０）。
【００７８】
ユーザは、電話に出られない場合、第２着信画面において、第１停止オブジェクトＢ２または第２停止オブジェクトＢ３をフリックする。
【００７９】
通話制御部２２は、第１停止オブジェクトＢ２に対してフリック操作がなされたと判定すると（Ｓ３０５：ＹＥＳ）、着信を切断し、外部スピーカ７および無線スピーカ２０より出力されている着信音を停止する（Ｓ３２１）。一方、通話制御部２２は、第２停止オブジェクトＢ３に対してフリック操作がなされたと判定すると（Ｓ３０６：ＹＥＳ）、着信を切断し、着信音を停止する（Ｓ３２２）。さらに、通話制御部２２は、表示面３に電子メールの作成画面を表示する（Ｓ３２３）。
【００８０】
以上、本実施の形態によれば、携帯電話機１に無線スピーカ２０が接続されている状態で電話の着信があった場合、応答オブジェクトＢ１の操作により着信に対して応答するのと同時に、受話音声の出力先を通話スピーカ５とするか無線スピーカ２０とするかの選択を行うことができる。よって、通話が開始された後に、出力先を変更する操作を行う必要がないので、ユーザは円滑に通話を行うことが可能となる。
【００８１】
さらに、本実施の形態によれば、応答オブジェクトＢ１にタッチされただけでは、出力先の選択が行われないので、ユーザの意図しない操作により出力先の誤った選択が行われることが防止される。ユーザの意図しない操作とは、たとえば、鞄などに携帯電話機１が収納されている場合に、携帯電話機１の表示面３に何らかの物体が接触することで実行される意図しない操作である。
【００８２】
さらに、本実施の形態によれば、応答オブジェクトＢ１の全周を囲むように第１切替領域Ｒ１および第２切替領域Ｒ２が設定されており、それぞれの切替領域への応答オブジェクトＢ１の移動方向が一つの方向に限定されない。よってユーザは、携帯電話機１を操作する手が利き手であるか否かに関係なく受話音声の出力先を容易に選択することができる。
【００８３】
さらに、本実施の形態によれば、応答オブジェクトＢ１の周囲に無効領域Ｒ３が設定されているので、応答オブジェクトＢ１を多少移動させるようなフリック操作やスライド操作が生じても、出力先の選択が行われない。よって、ユーザの意図しない操作により出力先の誤った選択が行われることがより一層防止される。
【００８４】
さらに、本実施の形態によれば、第１停止オブジェクトＢ２および第２停止オブジェク
トＢ３の領域を避けるように、第１切替領域Ｒ１および第２切替領域Ｒ２がそれぞれ設定されている。よって、たとえば、応答オブジェクトＢ１が第１停止オブジェクトＢ２の領域に移動され、その位置で指がリリースされても、出力先の設定が行われず、通話処理にも移行しない。よって、第１停止オブジェクトＢ２の操作により通話に移行したと誤解をユーザに与えるようなことがない。
【００８５】
＜変更例１＞
図１０は、変更例１に係る、第２通話制御処理の処理手順を示すフローチャートである。図１０には、上記実施の形態の第２通話制御処理（図６参照）に対して追加された処理（Ｓ３３１〜Ｓ３３４）を含む一部の処理のみが示されている。
【００８６】
以下、本変更例の第２通話制御処理について説明する。上記実施の形態と同じ処理については、同じステップ番号を付し、説明を省略する。
【００８７】
第２着信画面上において、タッチ位置の移動に追従して応答オブジェクトＢ１が移動されると（Ｓ３１５）、表示制御部２１は、第１切替領域Ｒ１および第２切替領域Ｒ２のうち一方の切替領域にタッチ位置、即ち、応答オブジェクトＢ１（オブジェクトの中心）が進入したか否かを判定する（Ｓ３３１）。表示制御部２１は、応答オブジェクトＢ１が一方の切替領域に進入すると（Ｓ３３１：ＹＥＳ）、他方の切替領域のガイドアイコンＩＣ１（またはＩＣ２）を不透明の状態から半透明の状態に変更する（Ｓ３３２）。さらに、表示制御部２１は、応答オブジェクトＢ１に指がタッチされたまま、進入した切替領域から応答オブジェクトＢ１が離脱すると（Ｓ３３３：ＹＥＳ）、不透明とされた他方の切替領域のガイドアイコンＩＣ１（またはＩＣ２）を、元の無透明の状態に戻す（Ｓ３３４）。
【００８８】
本変更例の構成とすれば、応答オブジェクトＢ１の操作により、受話音声の出力先として通話スピーカ５と無線スピーカ２０のどちらを選択しようとしているかをユーザが明確に把握することができる。
【００８９】
なお、他方の切替領域のガイドアイコンが、半透明の状態でなく、透明な状態に変更されてもよい。あるいは、ガイドアイコンのサイズが、小さくなるように変更されてもよい。つまり、応答オブジェクトＢ１が移動された方と反対のガイドアイコンの表示態様が、そのガイドアイコンに対応する出力先が選択されてないとユーザに把握され易い表示態様に変更されればよい。
【００９０】
＜変更例２＞
図１１は、変更例２に係る、第２通話制御処理の処理手順を示すフローチャートである。図１１には、上記実施の形態の第２通話制御処理（図６参照）に対して追加された処理（Ｓ３３５〜Ｓ３３８）を含む一部の処理のみが示されている。
【００９１】
以下、本変更例の第２通話制御処理について説明する。上記実施の形態と同じ処理については、同じステップ番号を付し、説明を省略する。
【００９２】
第２着信画面上において、タッチ位置の移動に追従して応答オブジェクトＢ１が移動されると（Ｓ３１５）、表示制御部２１は、第１切替領域Ｒ１および第２切替領域Ｒ２のうち一方の切替領域にタッチ位置、即ち、応答オブジェクトＢ１（オブジェクトの中心）が進入したか否かを判定する（Ｓ３３５）。表示制御部２１は、応答オブジェクトＢ１が一方の切替領域に進入すると（Ｓ３３５：ＹＥＳ）、進入した切替領域のガイドアイコンＩＣ１（またはＩＣ２）の色を他の色に変更する（Ｓ３３６）。さらに、表示制御部２１は、応答オブジェクトＢ１に指がタッチされたまま、進入した切替領域から応答オブジェク
トＢ１が離脱すると（Ｓ３３７：ＹＥＳ）、離脱した切替領域のガイドアイコンＩＣ１（またはＩＣ２）の色を元の色に戻す（Ｓ３３８）。
【００９３】
本変更例の構成とすれば、応答オブジェクトＢ１の操作により、受話音声の出力先として通話スピーカ５と無線スピーカ２０のどちらを選択しようとしているかをユーザが明確に把握することができる。
【００９４】
なお、応答オブジェクトＢ１が進入した切替領域のガイドアイコンの色が変更されるのではなく、ガイドアイコンの形状が変更されてもよい。あるいは、ガイドアイコンのサイズが、大きくなるように変更されてもよい。つまり、応答オブジェクトＢ１が移動された方のガイドアイコンの表示態様が、そのガイドアイコンに対応する出力先が選択されているとユーザに把握され易い表示態様に変更されればよい。
【００９５】
＜その他＞
以上、本発明の実施の形態および変更例について説明したが、本発明は、上記実施の形態等によって何ら制限されるものではなく、また、本発明の実施の形態も、上記以外に種々の変更が可能である。
【００９６】
たとえば、上記実施の形態では、第２着信画面に、通話スピーカ５に対応する第１切替領域Ｒ１と無線スピーカ２０に対応する第２切替領域Ｒ２が設定される。しかしながら、このように、切替領域が設定されるのではなく、たとえば、通話スピーカ５および無線スピーカ２０のそれぞれに対応して、フリック操作の速さの下限値と、フリック操作の方向の角度範囲が設定されてもよい。この場合、下限値以上の速さ、且つ、通話スピーカ５に対応する角度範囲内となる方向のフリック操作（本発明の第１タッチ操作に相当）が応答オブジェクトＢ１に対して行われると、受話音声の出力先として通話スピーカ５が設定される。一方、下限値以上の速さ、且つ、無線スピーカ２０に対応する角度範囲内となる方向のフリック操作（本発明の第２タッチ操作に相当）が応答オブジェクトＢ１に対して行われると、受話音声の出力先として無線スピーカ２０が設定される。さらに、通話スピーカ５および無線スピーカ２０のそれぞれに対応して、スライド操作の長さの下限値と、スライド操作の方向の角度範囲が設定されてもよい。この場合、下限値以上の長さ、且つ、通話スピーカ５に対応する角度範囲内となる方向のスライド操作（本発明の第１タッチ操作に相当）が応答オブジェクトＢ１に対して行われると、受話音声の出力先として通話スピーカ５が設定される。一方、下限値以上の長さ、且つ、無線スピーカ２０に対応する角度範囲内となる方向のスライド操作（本発明の第２タッチ操作に相当）が応答オブジェクトＢ１に対して行われると、受話音声の出力先として無線スピーカ２０が設定される。
【００９７】
さらに、上記実施の形態では、第１着信画面や第２着信画面に応答オブジェクトＢ１の他、第１停止オブジェクトＢ２および第２停止オブジェクトＢ３が設けられている。しかしながら、第１停止オブジェクトＢ２および第２停止オブジェクトＢ３のうちの一方が設けられなくてもよいし、両方ともが設けられなくてもよい。
【００９８】
さらに、上記実施の形態では、図３（ａ）および（ｂ）に示すように、第１着信画面および第２着信画面に電話番号は表示される。しかしながら、アドレス帳に登録済みの電話番号による着信であった場合は、着信があった電話番号に対応付けて登録された名前を電話番号に代えて表示面３に表示してもよい。他の対応として、電話番号と、対応する名前の両方を表示面３に表示してもよい。
【００９９】
本発明は、携帯電話機に限られず、ＰＤＡ（Personal DigitalAssistant）、タブレットＰＣ（Tablet PC）、電子書籍端末等の各種の携帯端末装置に適用可能である。
【０１００】
この他、本発明の実施形態は、特許請求の範囲に示された技術的思想の範囲内において、適宜、種々の変更が可能である。
【符号の説明】
【０１０１】
３  表示面
５  通話スピーカ（第１音出力部）
１１  制御部
１３  表示部
１４  タッチ検出部（操作受付部）
１９  通信部（着信受付部）
２０  無線スピーカ（第２音出力部）
２１  表示制御部
２２  通話制御部
Ｂ１  応答オブジェクト（オブジェクト）
Ｂ２  第１停止オブジェクト（別のオブジェクト）
Ｂ３  第２停止オブジェクト（別のオブジェクト）
Ｒ１  第１切替領域（第１領域）
Ｒ２  第２切替領域（第２領域）
Ｒ３  無効領域（第３領域）
ＩＣ１  第１ガイドアイコン（第１画像）
ＩＣ２  第２ガイドアイコン（第２画像）
【図１】
2014045231.tif 000003
【図２】
2014045231.tif 000004
【図３】
2014045231.tif 000005
【図４】
2014045231.tif 000006
【図５】
2014045231.tif 000007
【図６】
2014045231.tif 000008
【図７】
2014045231.tif 000009
【図８】
2014045231.tif 000010
【図９】
2014045231.tif 000011
【図１０】
2014045231.tif 000012
【図１１】
2014045231.tif 000013